【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
内輪と、外輪と、前記内輪および前記外輪の間に配置される転動体とを含み、航空機または宇宙機器に使用される航空・宇宙用転がり軸受の品質管理方法であって、
前記航空・宇宙用転がり軸受の製造時または製造完了時にＩＣタグを当該航空・宇宙用転がり軸受の前記内輪と、前記外輪とのいずれかに取付ける過程と、
前記内輪と、前記外輪とのいずれかに取付けられたＩＣタグに、顧客に関する情報と、顧客からの要求に関する情報と、製造元に関する情報とを含む特定情報を記録するとともに、前記内輪と、前記外輪と、前記転動体とについての鍛造工程、熱処理工程、研削工程、表面処理工程のうちの少なくとも１つの工程における加工条件情報および材料情報のいずれかを各内輪と、各外輪と、各転動体のそれぞれ毎に記録する過程と、
出荷後の任意時に、前記ＩＣタグの記録情報を読取ってその読取り情報から、前記特定情報、前記加工条件情報および材料情報のいずれかの確認を行う情報読取り利用過程とを含む、航空・宇宙用転がり軸受の品質管理方法。
【請求項２】
さらに、前記顧客に関する情報と、前記顧客からの要求に関する情報と、前記製造元に関する情報との特定情報を記憶するとともに前記内輪と、前記外輪と、前記転動体のそれぞれに関する材料購入から、鍛造工程、熱処理工程、研削工程、および表面処理工程に至る所定の加工条件情報および材料情報を識別情報に関連付けて記憶し、記憶内容を前記識別情報により抽出可能なデータベースを含み、
前記識別情報に基づいて、前記データベースに記憶されている特定情報、加工条件情報および材料情報を抽出して前記ＩＣタグに記録する過程を含む、請求項１に記載の航空・宇宙用転がり軸受の品質管理方法。
【請求項３】
内輪と、外輪と、前記内輪および前記外輪の間に配置される転動体とを含み、航空機または宇宙機器に使用される航空・宇宙用転がり軸受に関して、識別情報に関連付けてその航空・宇宙用転がり軸受について顧客に関する情報と、顧客からの要求に関する情報と、製造元に関する情報とを含む特定情報、および材料購入から、鍛造工程、熱処理工程、研削工程、および表面処理工程に至る所定の製造情報のいずれかを記憶し、記憶内容を前記識別情報により抽出可能なデータベースと、
情報の記録および読取りが可能なＩＣタグとを用いて前記航空・宇宙用転がり軸受を管理する航空・宇宙用転がり軸受の品質管理方法であって、
前記航空・宇宙用転がり軸受の製造時または製造完了時に前記ＩＣタグを前記内輪と、前記外輪とのいずれかに取付ける過程と、
前記内輪と、前記外輪とのいずれかに取付けられたＩＣタグに、前記データベースに従い出荷時、または客先納入時までに、当該航空・宇宙用転がり軸受についての識別情報を書き込み、かつその航空・宇宙用転がり軸受についての顧客に関する情報と、顧客からの要求に関する情報と、製造元に関する情報とを含む特定情報と、製造年月日、製造場所、封入グリース銘柄、要素品同士の隙間、防錆や包装の情報、品質保証期間、取扱いに関する注意事項のうち、少なくとも１つの情報を各内輪と、各外輪と、各転動体毎に記録する過程と、
前記出荷後の任意時に、前記ＩＣタグの記録情報を読取ってその読取り情報から、または読取り情報を前記データベースと照合してその照合により得られた情報から、顧客に関する情報と、顧客からの要求に関する情報と、製造元に関する情報とを含む特定情報の確認と、購入材料の確認、製造工程の確認、その加工条件および材料情報の少なくとも一方の確認、および検査成績の確認のいずれかを行う情報読取り利用過程とを含む、航空・宇宙用転がり軸受の品質管理方法。
【請求項４】
さらに、前記航空・宇宙用転がり軸受の前記内輪と、前記外輪と、前記転動体との材料購入から鍛造工程、熱処理工程、研削工程、表面処理工程に至る所定の製造情報を、各工程毎に前記内輪と、前記外輪と、前記転動体とのロット番号別に準備された製造過程用のＩＣタグに記録する過程と、
前記製造過程用のＩＣタグに記録した情報を読取ってその読取り情報の一部または全体を前記航空・宇宙用転がり軸受に取付けられたＩＣタグに記録する過程とを含み、
前記製造過程用のＩＣタグに記録する製造情報として、鍛造工程、熱処理工程、研削工程、表面処理工程のうちの少なくとも１つの工程における加工条件情報および材料情報の少なくとも一方を含む、請求項１から３のいずれかに記載の航空・宇宙用転がり軸受の品質管理方法。
【請求項５】
さらに、前記航空・宇宙用転がり軸受の前記内輪と、前記外輪と、前記転動体との材料購入から鍛造工程、熱処理工程、研削工程、および表面処理工程に至る所定の製造情報を管理する製造時管理用のデータベースを含み、
前記内輪と、前記外輪と、前記転動体とのロット番号または前記内輪と、前記外輪と、前記転動体の個別の識別番号に関連付けて前記製造時管理用のデータベースに前記製造情報を記録する過程と、
前記製造時管理用のデータベースに記録した情報を、前記航空・宇宙用転がり軸受に取付けられたＩＣタグに記録する過程とを含む、請求項１から３のいずれかに記載の航空・宇宙用転がり軸受の品質管理方法。
【請求項６】
材料購入から鍛造工程、熱処理工程、研削工程および表面処理過程を経て製造される内輪と、外輪と、前記内輪および前記外輪の間に配置される転動体とを複数種類含んで組み立てられ、個別に検査される航空・宇宙用転がり軸受の品質管理方法であって、
前記内輪と、前記外輪と、前記転動体について、
これら各内輪と、各外輪と、各転動体の材料購入時に、材料ロット別に準備されたＩＣタグに、対応する材料ロットについての材料ロット番号および購入材料に関する情報を記録する過程と、
前記鍛造工程で、前記材料ロット別のＩＣタグまたはこの材料ロット別のＩＣタグの記録情報を引き継いだＩＣタグを鍛造ロット別に準備し、これらＩＣタグに、対応する鍛造ロットについての鍛造ロット番号および鍛造工程で得られる情報を記録する過程と、
前記熱処理工程で、鍛造ロット別のＩＣタグまたはこの鍛造ロット別のＩＣタグの記録情報を引き継いだＩＣタグを熱処理ロット別に準備し、これらＩＣタグに、対応する熱処理ロットについての熱処理ロット番号および熱処理工程で得られる情報を記録する過程と、
前記研削工程で、熱処理ロット別のＩＣタグまたはこの熱処理ロット別のＩＣタグの記録情報を引き継いだＩＣタグを研削ロット別に準備し、これらのＩＣタグに、対応する研削ロットについての加工条件の記録を行う過程と、
前記表面処理工程で、研削ロット別のＩＣタグ、またはこの研削ロット別のＩＣタグの記録情報を引き継いだＩＣタグを表面処理ロット別に準備し、これらのＩＣタグに、対応する表面処理ロットについて表面処理の情報を記録する過程と、
前記表面処理工程の後の検査工程で、表面処理ロット別のＩＣタグまたはこの表面処理ロット別のＩＣタグの記録情報を引き継いだＩＣタグを、各内輪毎、各外輪毎、各転動体毎または検査の単位となる同種類の内輪、外輪、転動体の各組毎に準備し、これら組毎のＩＣタグに、対応する表面処理ロット番号および検査工程で得られる情報を記録する過程と、
前記各内輪と、各外輪と、各転動体とを組み立てた各航空・宇宙用転がり軸受に、組立前から組立後に至る間にＩＣタグを取付け、この航空・宇宙用転がり軸受に取付けられたＩＣタグに、個別の航空・宇宙用転がり軸受特有の製造番号、および前記航空・宇宙用転がり軸受に用いられた各内輪と、各外輪と、各転動体の前記検査工程後のＩＣタグの記録情報のうち、少なくとも製造番号を記録し、前記データベースに前記製造番号と対応して、前記航空・宇宙用転がり軸受に用いられた各内輪と、各外輪と、各転動体の前記検査工程後のＩＣタグの記録情報、および航空・宇宙用転がり軸受の完成後の検査情報を記録する過程、とを含む航空・宇宙用転がり軸受の品質管理方法。
【請求項７】
材料購入から鍛造工程、熱処理工程、研削工程および表面処理過程を経て製造される内輪と、外輪と、前記内輪および前記外輪の間に配置される転動体とを複数種類含んで組み立てられ、ロット別に検査される航空・宇宙用転がり軸受の品質管理方法であって、
前記各内輪と、各外輪と、各転動体について、各内輪と、各外輪と、各転動体の材料購入時に、材料ロット別に準備されたＩＣタグに、対応する材料ロットについての材料ロット番号および購入材料に関する情報を記録する過程と、
前記鍛造工程で、前記材料ロット別のＩＣタグまたはこの材料ロット別のＩＣタグの記録情報を引き継いだＩＣタグを鍛造ロット別に準備し、これらＩＣタグに、対応する鍛造ロットについての鍛造ロット番号および鍛造工程で得られる情報を記録する過程と、
前記熱処理工程で、鍛造ロット別のＩＣタグまたはこの鍛造ロット別のＩＣタグの記録情報を引き継いだＩＣタグを熱処理ロット別に準備し、これらＩＣタグに、対応する熱処理ロットについての熱処理ロット番号および熱処理工程で得られる情報を記録する過程と、
前記研削工程で、熱処理ロット別のＩＣタグまたはこの熱処理ロット別のＩＣタグの記録情報を引き継いだＩＣタグを研削ロット別に準備し、これらＩＣタグに、対応する研削ロットについての研削ロット番号および検査工程で得られる情報を記録する過程と、
前記表面処理工程で、研削ロット別のＩＣタグ、またはこの研削ロット別のＩＣタグの記録情報を引き継いだＩＣタグを表面処理ロット別に準備し、これらのＩＣタグに、対応する表面処理ロットについて表面処理の情報を記録する過程と、
前記表面処理工程後の検査工程で、前記表面処理別のＩＣタグまたはこの表面処理別のＩＣタグの記録情報を引き継いだＩＣタグを、内輪と、外輪と、転動体毎または検査の単位となる同種類の内輪と、外輪と、転動体の組毎に準備し、これらＩＣタグに、対応する表面処理ロット番号および検査工程で得られる情報を記録する過程とを含み、かつ
前記各内輪と、各外輪と、各転動体とを組み立てた各航空・宇宙用転がり軸受に、組立前から組立後に至る間にＩＣタグを取付け、このＩＣタグに製造ロット番号、および前記航空・宇宙用転がり軸受に用いられた各内輪と、各外輪と、各転動体の前記検査工程後におけるＩＣタグの記録情報のうち、少なくとも製造ロット番号を記録し、前記データベースに前記製造ロット番号に対応して、前記航空・宇宙用転がり軸受に用いられた各内輪と、各外輪と、各転動体の前記検査工程後のＩＣタグの記録情報および航空・宇宙用転がり軸受の完成後の検査情報を記録する過程とを含む、航空・宇宙用転がり軸受の品質管理方法。
【請求項８】
前記材料ロット別に準備されるＩＣタグ、前記鍛造ロット別に準備されるＩＣタグ、前記熱処理工程別に準備されるＩＣタグ、および前記表面処理工程別に準備されるＩＣタグは、同じ材料ロットの材料を複数入れた容器、同じ鍛造ロットの内輪と、外輪と、転動体を複数入れた容器類、同じ熱処理ロットの内輪と、外輪と、転動体を入れた容器類、および同じ表面処理ロットの内輪と、外輪と、転動体を複数入れた容器類にそれぞれ取付ける、請求項６または７に記載の航空・宇宙用転がり軸受の品質管理方法。
【請求項９】
前記航空・宇宙用転がり軸受は、保持器およびシールを含み、前記保持器またはシールに関する情報は、前記航空・宇宙用転がり軸受の組立後に前記データベースに製造番号またはロット番号に対応させて記録する、請求項６または７に記載の航空・宇宙用転がり軸受の品質管理方法。
【請求項１０】
前記航空・宇宙用転がり軸受は、組立時にグリースが封入されるものであり、前記航空・宇宙用転がり軸受に取付けられたＩＣタグに、その航空・宇宙用転がり軸受の組立年月日を記録する、請求項１から９のいずれかに記載の航空・宇宙用転がり軸受の品質管理方法。
【請求項１１】
前記航空・宇宙用転がり軸受に取付けられたＩＣタグに、その航空・宇宙用転がり軸受の出荷から客先納入までの所在の情報を記録する、請求項１から１０のいずれかに記載の航空・宇宙用転がり軸受の品質管理方法。
【請求項１２】
内輪と、外輪と、前記内輪および外輪の間に配置される転動体とを含み、航空機または宇宙機器に使用される航空・宇宙用転がり軸受であって、
前記外輪の外周面に形成されたフランジ部または前記内輪からアキシャル方向に形成された引抜き部に設けられ、当該航空・宇宙用転がり軸受の品質に関する情報が記録されたＩＣタグを備える、航空・宇宙用転がり軸受。
【手続補正２】
【補正対象書類名】明細書
【補正対象項目名】発明の名称
【補正方法】変更
【補正の内容】
【発明の名称】航空・宇宙用転がり軸受の品質管理方法および航空・宇宙用転がり軸受
【手続補正３】
【補正対象書類名】明細書
【補正対象項目名】０００１
【補正方法】変更
【補正の内容】
【０００１】
この発明は、航空・宇宙用転がりの品質管理方法および航空・宇宙用転がり軸受に関し、例えば固定翼，回転翼およびミサイル等の飛翔体を含む航空機や、ロケット，ロケットエンジン，人工衛星等を含む宇宙機器に使用される航空・宇宙用転がり軸受の品質管理方法および航空・宇宙用転がり軸受に関する。
【手続補正４】
【補正対象書類名】明細書
【補正対象項目名】００１９
【補正方法】変更
【補正の内容】
【００１９】
そこで、この発明の目的は、個別に検査される航空・宇宙用転がり軸受であって、鍛造工程や熱処理工程等を経てそれぞれが製造される複数の要素品を組立ててなる航空・宇宙用転がり軸受につき、各要素品の材料購入から転がり軸受の完成後の検査内容まで、詳細な履歴情報を、転がり軸受と１対１の関係で容易に管理することのできる航空・宇宙用転がり軸受の品質管理方法を提供することである。
【手続補正５】
【補正対象書類名】明細書
【補正対象項目名】００２０
【補正方法】変更
【補正の内容】
【００２０】
この発明の目的は、トレーサビリティの程度を高め、鍛造工程、熱処理工程、研削工程等の加工条件情報の確認が、出荷後あるいは客先納入後においても１対１の関係で容易に確認することのできる航空・宇宙用転がり軸受を提供することである。
【手続補正６】
【補正対象書類名】明細書
【補正対象項目名】００２１
【補正方法】変更
【補正の内容】
【００２１】
この発明は、内輪と、外輪と、内輪および外輪の間に配置される転動体とを含み、航空機または宇宙機器に使用される航空・宇宙用転がり軸受の品質管理方法であって、航空・宇宙用転がり軸受にＩＣタグを取付け、このＩＣタグの記録情報だけから品質管理に関するトレーサビリティを可能にした方法である。すなわち、情報の記録および読取りが可能なＩＣタグを用い、航空・宇宙用転がり軸受を構成する内輪と、外輪と、転動体とに関する材料購入から、鍛造工程、熱処理工程、研削工程、および表面処理工程に至る所定の製造情報のいずれかを記録して管理する航空・宇宙用転がり軸受の品質管理方法であって、航空・宇宙用転がり軸受の製造時または製造完了時にＩＣタグを当該航空・宇宙用転がり軸受を構成する内輪と、外輪とのいずれかに取付ける過程と、複数の内輪と、外輪とのいずれかに取付けられたＩＣタグに、顧客に関する情報と、顧客からの要求に関する情報と、製造元に関する情報とを含む特定情報を記録するとともに、その航空・宇宙用転がり軸受についての鍛造工程、熱処理工程、研削工程、表面処理工程のうちの少なくとも１つの工程における加工条件情報および材料情報のいずれかを各内輪と、各外輪と、各転動体毎に記録する過程と、出荷後の任意時に、ＩＣタグの記録情報を読取ってその読取り情報から、特定情報、加工条件情報および材料情報のいずれかの確認を行う情報読取り利用過程とを含む。
【手続補正７】
【補正対象書類名】明細書
【補正対象項目名】００２２
【補正方法】変更
【補正の内容】
【００２２】
この方法によると、出荷後の任意時の情報読取り利用過程で、鍛造工程、熱処理工程、研削工程、表面処理工程等のいずれかの加工条件情報または材料情報を確認することができる。また、加工条件情報等まで確認できるため、航空・宇宙用転がり軸受のように厳しい品質，精度が求められる転がり軸受においても、不具合が生じた場合の原因解明等を容易に行うことができる。この方法の場合、別のデータベースを用いることなく、ＩＣタグのみで情報を管理することができるため、加工条件情報等を確認する施設において、データベースへの通信設備やアクセス権限等の有無にかかわらずに加工条件情報等の読取が行える。
【手続補正８】
【補正対象書類名】明細書
【補正対象項目名】００２３
【補正方法】変更
【補正の内容】
【００２３】
この発明の１つの実施形態では、顧客に関する情報と、顧客からの要求に関する情報と、製造元に関する情報との特定情報を記憶するとともに航空・宇宙用転がり軸受を構成する内輪と、外輪と、転動体に関する材料購入から、鍛造工程、熱処理工程、研削工程、および表面処理工程に至る所定の加工条件情報および材料情報を識別情報に関連付けて記憶し、記憶内容を識別情報により抽出可能なデータベースを含み、識別情報に基づいて、データベースに記憶されている特定情報、加工条件情報および材料情報を抽出してＩＣタグに記録する過程を含む。
【手続補正９】
【補正対象書類名】明細書
【補正対象項目名】００２４
【補正方法】変更
【補正の内容】
【００２４】
この実施形態では、出荷後の任意時の情報読取り利用過程で、鍛造工程、熱処理工程、研削工程、表面処理過程等のいずれかの加工条件情報または材料情報を確認することができる。そのため、航空・宇宙用転がり軸受のように厳しい品質，精度が求められる商品においても、不具合が生じた場合の原因解明等を容易に行うことができる。また、航空・宇宙用転がり軸受に取付けられたＩＣタグには、識別情報を記録し、データベースに識別情報に対応して各種の情報を記録するため、限りあるＩＣタグの記憶容量に頼らずに、多量の情報をデータベ−スから引き出すことができる。また、ＩＣタグの残りの記憶容量を、出荷後や客先納入後の各種の履歴管理等に利用することができる。
【手続補正１０】
【補正対象書類名】明細書
【補正対象項目名】００２５
【補正方法】変更
【補正の内容】
【００２５】
この発明の他の局面は、内輪と、外輪と、内輪および外輪の間に配置される転動体とを含み、航空機または宇宙機器に使用される転がり軸受に関して、識別情報に関連付けてその航空・宇宙用転がり軸受について顧客に関する情報と、顧客からの要求に関する情報と、製造元に関する情報とを含む特定情報、および材料購入から、鍛造工程、熱処理工程、研削工程、および表面処理工程に至る所定の製造情報を記憶し、記憶内容を識別情報により抽出可能なデータベースと、情報の記録および読取りが可能なＩＣタグとを用いて航空・宇宙用転がり軸受を管理する品質管理方法であって、航空・宇宙用転がり軸受の製造時または製造完了時にＩＣタグを当該航空・宇宙用転がり軸受を構成する内輪と、外輪とのいずれかに取付ける過程と、航空・宇宙用転がり軸受に取付けられたＩＣタグに、データベースに従い出荷時、または客先納入時までに、当該航空・宇宙用転がり軸受についての識別情報を書き込み、かつその航空・宇宙用転がり軸受についての顧客に関する情報と、顧客からの要求に関する情報と、製造元に関する情報とを含む特定情報と、製造年月日、製造場所、封入グリース銘柄、要素品間隙間、品質保証期間、防錆／包装の情報、取扱いに関する注意事項のうち、少なくとも１つの情報を航空・宇宙用転がり軸受毎に記録する過程と、出荷後の任意時に、ＩＣタグの記録情報を読取ってその読取り情報から、または読取り情報をデータベースと照合してその照合により得られた情報から、顧客に関する情報と、顧客からの要求に関する情報と、製造元に関する情報とを含む特定情報の確認と、購入材料の確認、製造工程の確認、その加工条件および材料情報の少なくとも一方の確認、および検査成績の確認のいずれかを行う情報読取り利用過程とを含む。
【手続補正１１】
【補正対象書類名】明細書
【補正対象項目名】００２９
【補正方法】変更
【補正の内容】
【００２９】
この発明において、いずれの航空・宇宙用転がり軸受の品質管理方法においても、次の過程を含めてもよい。すなわち、航空・宇宙用転がり軸受の内輪と、外輪と、転動体の材料購入から鍛造工程、熱処理工程、研削工程、表面処理工程に至る所定の製造情報を、各工程毎に要素品のロット番号別に準備された製造過程用のＩＣタグに記録する過程と、製造過程用のＩＣタグに記録した情報を読取ってその読取り情報の一部または全体を航空・宇宙用転がり軸受に取付けられたＩＣタグに記録する過程とを含み、製造過程用のＩＣタグに記録する製造情報として、鍛造工程、熱処理工程、研削工程、表面処理工程のうちの少なくとも１つの工程における加工条件情報および材料情報の少なくとも一方を含む。
【手続補正１２】
【補正対象書類名】明細書
【補正対象項目名】００３２
【補正方法】変更
【補正の内容】
【００３２】
好ましくは、航空・宇宙用転がり軸受の内輪と、外輪と、転動体の材料購入から鍛造工程、熱処理工程、研削工程、表面処理工程および検査に至る所定の製造情報を、製造時管理用のデータベースに要素品のロット番号または要素品個別の識別番号に関連付けて記録する過程と、記録した情報を、航空・宇宙用転がり軸受に取付けられたＩＣタグに記録する過程とを含むようにしてもよい。
【手続補正１３】
【補正対象書類名】明細書
【補正対象項目名】００３３
【補正方法】変更
【補正の内容】
【００３３】
この発明のさらに他の局面における航空・宇宙用転がり軸受の品質管理方法は、個別に検査される航空・宇宙用転がり軸受の品質管理方法である。すなわち、材料購入から鍛造工程、熱処理工程、研削工程、および表面処理工程を経て製造される内輪と、外輪と、転動体を複数種類含んで組立てられる航空・宇宙用転がり軸受の品質管理方法であって、各内輪と、外輪と、転動体について、次の各過程（１）〜（６）を含み、各内輪と、外輪と、転動体を組立てた航空・宇宙用転がり軸受について、後述の過程を採る。
（１）  各内輪と、外輪と、転動体の材料購入時に、材料ロット別に準備されたＩＣタグに、対応する材料ロットについての材料ロット番号および購入材料に関する情報を記録する過程。
（２）  鍛造工程で、材料ロット別のＩＣタグまたはこの材料ロット別のＩＣタグの記録情報を引き継いだＩＣタグを鍛造ロット別に準備し、これらのＩＣタグに、対応する鍛造ロットについての鍛造ロット番号および鍛造工程で得られる情報を記録する過程。
（３）  熱処理工程で、鍛造ロット別のＩＣタグまたはこの鍛造ロット別のＩＣタグの記録情報を引き継いだＩＣタグを熱処理ロット別に準備し、これらのＩＣタグに、対応する熱処理ロットについての熱処理ロット番号および熱処理工程で得られる情報を記録する過程。
（４）  表面処理工程で、研削ロット別のＩＣタグ、またはこの研削ロット別のＩＣタグの記録情報を引き継いだＩＣタグを表面処理ロット別に準備し、これらのＩＣタグに、対応する表面処理ロットについて表面処理の情報を記録する過程。
（５）  表面処理工程の後の検査工程で、表面処理ロット別のＩＣタグまたはこの表面処理ロット別のＩＣタグの記録情報を引き継いだＩＣタグを、内輪と、外輪と、転動体毎または検査の単位となる同種類の内輪と、外輪と、転動体の組毎に準備し、これらＩＣタグに、対応する表面処理ロット番号および検査工程で得られる情報を記録する過程。
（６）防錆／包装に関する情報を記録する過程。
【手続補正１４】
【補正対象書類名】明細書
【補正対象項目名】００３４
【補正方法】変更
【補正の内容】
【００３４】
各内輪と、各外輪と、各転動体を組立てた各航空・宇宙用転がり軸受には、組立前から組立後に至る間にＩＣタグを取付け、この航空・宇宙用転がり軸受に取付けられたＩＣタグに、個別の航空・宇宙用転がり軸受特有の製造番号、および航空・宇宙用転がり軸受に用いられた各内輪と、各外輪と、各転動体の検査工程後におけるＩＣタグの記録情報のうち、少なくとも製造番号を記録する。データベースには製造番号に対応して、航空・宇宙用転がり軸受に用いられた各要素品の検査工程後におけるＩＣタグの記録情報、および航空・宇宙用転がり軸受の完成後の検査情報を記録する。
【手続補正１５】
【補正対象書類名】明細書
【補正対象項目名】００３６
【補正方法】変更
【補正の内容】
【００３６】
この品質管理方法によると、各内輪と、各外輪と、各転動体の材料購入から航空・宇宙用転がり軸受の完成後の検査内容までの履歴情報が、データベースに記憶され、航空・宇宙用転がり軸受に取付けられたＩＣタグには製造番号が記録されているため、製造番号をデータベースと照合することで、履歴情報を航空・宇宙用転がり軸受と１対１の関係を管理することができる。各内輪と、各外輪と、各転動体の工程毎に発生する情報は、工程毎にその工程のロット別に準備したＩＣタグにロット番号と共に記録するため、詳細な履歴情報を管理することができる。
【手続補正１６】
【補正対象書類名】明細書
【補正対象項目名】００３８
【補正方法】変更
【補正の内容】
【００３８】
また、内輪と、外輪と、転動体の材料購入から研削工程の各工程にわたる種々雑多な全ての情報をコンピュータに記録するものと異なり、これらの記録情報をＩＣタグで持っておくため、コンピュータの負担が軽く、管理が容易になる。このため、容易に、より詳細な情報の管理することができる。また、航空・宇宙用転がり軸受の製造番号は、航空・宇宙用転がり軸受に取付けられたＩＣタグに記録するので、このＩＣタグを、製造後の各種の用途、例えば出荷管理、流通管理、顧客管理、メンテナンス管理等に用いることができる。
【手続補正１７】
【補正対象書類名】明細書
【補正対象項目名】００４１
【補正方法】変更
【補正の内容】
【００４１】
この発明において、航空・宇宙用転がり軸受が、材料購入から鍛造工程、熱処理工程、研削工程、および表面処理工程を経て製造される内輪と、外輪と、転動体とは別の要素品を含むものであって、この別要素品についての情報は、宇宙・航空用転がり軸受の組立て後にデータベースに製造番号またはロット番号に対応させて記録するようにしてもよい。これより、別の内輪と、外輪と、転動体についての情報も、航空・宇宙用転がり軸受の完成後に知ることができる。
【手続補正１８】
【補正対象書類名】明細書
【補正対象項目名】００４３
【補正方法】変更
【補正の内容】
【００４３】
航空・宇宙用転がり軸受は組立時にグリースが封入されるものであってもよく、その場合、航空・宇宙用転がり軸受に取付けられたＩＣタグに、その航空・宇宙用転がり軸受の組立て年月日を記録することが好ましい。
【手続補正１９】
【補正対象書類名】明細書
【補正対象項目名】００４５
【補正方法】変更
【補正の内容】
【００４５】
この発明において、航空・宇宙用転がり軸受に取付けられたＩＣタグに、その宇宙・航空用転がり軸受の出荷から客先納入までの所在等の情報を記録してもよい。これにより、出荷管理、流通管理、顧客管理、メンテナンス管理等が容易になる。
【手続補正２０】
【補正対象書類名】明細書
【補正対象項目名】００４６
【補正方法】変更
【補正の内容】
【００４６】
この発明における航空・宇宙用転がり軸受の品質管理方法は、航空・宇宙用転がり軸受に取付けられたＩＣタグに、鍛造工程、熱処理工程、研削工程、表面処理工程のうちの少なくとも１つの工程における加工条件情報および材料情報の少なくとも一方を記録するようにしたため、転動体を有し複数の要素品からなる航空・宇宙用転がり軸受について、鍛造工程、熱処理工程、研削工程、表面処理工程等の加工条件情報または材料情報の確認が、客先納入後においても容易に確認することができ、不具合発生時の原因解明等を容易に行うことができる。
【手続補正２１】
【補正対象書類名】明細書
【補正対象項目名】００４７
【補正方法】変更
【補正の内容】
【００４７】
この発明における他の航空・宇宙用転がり軸受の品質管理方法は、ＩＣタグに、さらに航空・宇宙用転がり軸受の識別情報を記録し、データベースを別に準備したため、より多くの情報を容易に知ることができる。
【手続補正２２】
【補正対象書類名】明細書
【補正対象項目名】００４８
【補正方法】変更
【補正の内容】
【００４８】
この発明におけるさらに他の航空・宇宙用転がり軸受の品質管理方法は、個別に検査される航空・宇宙用転がり軸受の品質管理方法であって、航空・宇宙用転がり軸受の各内輪と、外輪と、転動体の材料購入から表面処理工程にわたる各工程において、ロット別にＩＣタグを準備し、ロット番号およびその工程で得た情報を記録し、各内輪と、各外輪と、各転動体を組立てた航空・宇宙用転がり軸受にＩＣタグを取付けて、このＩＣタグに、少なくとも個別の航空・宇宙用転がり軸受特有の製造番号を記録し、管理コンピュータシステムに製造番号と対応して、航空・宇宙用転がり軸受に用いられた各内輪と、各外輪と、各転動体の検査工程後におけるＩＣタグの記録情報、および航空・宇宙用転がり軸受の完成後の検査情報を記録するため、各内輪と、各外輪と、各転動体の材料購入から航空・宇宙用転がり軸受の完成後の検査内容まで、詳細な履歴情報を、航空・宇宙用転がり軸受と１対１の関係で容易に管理することができる。
【手続補正２３】
【補正対象書類名】明細書
【補正対象項目名】００４９
【補正方法】変更
【補正の内容】
【００４９】
この発明におけるさらに他の航空・宇宙用転がり軸受の品質管理方法は、各内輪と、各外輪と、各転動体の材料購入から航空・宇宙用転がり軸受の完成後の検査内容まで、詳細な履歴情報を、航空・宇宙用転がり軸受の製造ロット別に容易に管理することができる。